(57)【特許請求の範囲】
【請求項１】
使用者が命令を入力するためのキー入力部と、
導管の空気圧と脈動を検出した後に、これを電気的な信号に変換して出力するセンサーと、
前記キー入力部から入力される命令に従って微細排気のための制御信号を出力しながら、前記センサーから入力される信号にもとづいて血圧を測定し、かつ、測定した血圧を表示するための情報信号を出力するマイクロコントローラと、
このマイクロコントローラから前記制御信号が入力されると駆動して、導管内の空気圧を加圧させる加圧部と、
前記加圧部から伝送される空気圧を一時貯蔵するための空気タンクと、
前記空気タンクに導管を通じて連結され、前記空気タンクの緩衝作用及び空気の加圧速度を制御するバッファと、
前記マイクロコントローラからの前記制御信号によって開閉し、導管内の空気を外部に微細排気させるソレノイドバルブと、
人体から発生される脈拍を前記センサーに伝送するための圧迫帯と、
前記マイクロコントローラから入力される情報信号に従って血圧を表示する表示部と、
を備えたことを特徴とする最適加圧及び微細排気制御機能を有する血圧計。
【請求項２】
バッテリが装着されると動作が開始してソレノイドバルブをオープンさせる段階と、
内部メモリ変数を初期化させた後に低電力使用モードを維持する段階と、
キー入力部から電源スイッチがオンされたことを判断する段階と、
電源スイッチがオンされる場合に、キー入力があることを判断して一定時間の間にキー入力がない場合に動作を終了する段階と、
キー入力があった場合には加圧部を駆動させて、空気圧を高める段階と、
加圧状態が適正な圧力まで到達したかどうかを判断して、適正圧力に到達している場合には加圧を中止する段階と、
微細排気のためのソレノイドバルブの開／閉時間初期値を算出した後に、ソレノイドバルブを開／閉させて、微細排気を行なう段階と、
現在の圧力及びセンサーで検出した脈拍値を貯蔵する段階と、
ソレノイドバルブの開／閉時間を補正する段階と、
血圧が算出されたかどうかを判断し、血圧が算出された場合には血圧の高圧と低圧を表示する段階と、
ソレノイドバルブを開いて、急速排気させながら動作を終了する段階と、
を具備したことを特徴とする最適加圧及び微細排気制御機能を有する血圧計の制御方法。
【請求項３】
前記ソレノイドバルブが、微細排気を予め予測して心臓拍動当り２〜３ｍｍＨｇ程度の排気制御を行う請求項２記載の最適加圧又は微細排気制御機能を有する血圧計の制御方法。
【発明の詳細な説明】
【０００１】
【発明の属する技術分野】
この発明は最適加圧及び微細排気時、毎心拍当り一定量の空気圧排気制御機能を有する血圧計及びその制御方法に関し、より詳しくは、加圧の際に被測定者の動脈圧を抽出して分析し、その後に血圧測定ができる適正圧力に加圧手段の駆動を中止させて血圧を測定する血圧計及びその制御方法に関する。すなわち、被測定者を楽にしてあげることができ、また微細排気時、マイクロコントローラがソレノイドバルブを制御するので、圧力の高低や腕の太さに関係なく、一定速度で排気し、測定精密度を向上させるとともに、微細排気速度調整及び微細排気バルブのない血圧計の制作ができるようにして、血圧計の製造原価を低下させることのできる最適加圧及び微細排気制御機能を有する血圧計及びその制御方法に関する。
【０００２】
【従来の技術】
人の健康状態を判断するための基準として、血圧は医学的に重要な要素である。病院では、患者の腕に圧迫帯を巻いた後、ポンピングすることによって、圧迫帯を患者の腕に密着するようにし、続いて人体の動脈から伝達される脈拍を電気的な信号として感知し、これを電気的な回路を通じて処理することにより、患者の血圧を測定する血圧計が一般的に使用されている。
【０００３】
この頃、健康に関する一般人の関心が高まって、前記の血圧計の一種として、病院に行かなくても使用者が一人で容易に血圧測定を行なえる携帯形血圧計が商業的な目的にて広く市販されるようになっている。このような携帯形血圧計に関する技術が、大韓民国特許出願番号第９３−２４２４２号（出願日１９９３年１１月１５日）「携帯形手動式血圧計」に開示されている。
【０００４】
以下、図９及び図１０を参照して従来の血圧計について説明する。図９は従来の血圧計の構成ブロック図である。図９に図示されるように従来の血圧計の構成は、キー入力部１１と、キー入力部１１の出力段に入力段が連結されているマイクロコントローラ１３と、前記のマイクロコントローラ１３の出力段に入力段が連結されている加圧部１５と、加圧部１５に導管を通じて連結されているセンサー１２、ソレノイドバルブ１６、微細排気バルブ１７、圧迫帯１８と、前記マイクロコントローラ１３の出力段に入力段が連結されている表示部１４とを有している。
【０００５】
このような構成からなる従来の血圧計の作用は、次の通りである。バッテリが装着されて電源が印加されると従来の血圧計の動作が始まる。動作が始まった後、使用者（被測定者）がキー入力部１１を利用して動作命令を入力させると、マイクロコントローラ１３がこれを感知して加圧部１５を駆動させるので、加圧部１５から空気圧が発生されて導管を通じてセンサー１２とソレノイドバルブ１６と微細排気バルブ１７と圧迫帯１８に伝達される。
【０００６】
この場合、ソレノイドバルブ１６は閉じており、微細排気バルブ１７を通じて微細な量の空気圧が外部に流出しているので、加圧部１５から発生される空気圧の大部分は圧迫帯１８へ伝送され、これにより、圧迫帯１８が人体（腕）を絞める。
【０００７】
圧迫帯１８により絞められる人体部分は圧力が上昇し、一定の圧力以上まで圧迫されるとマイクロコントローラ１３は加圧部１５の駆動を中止する。加圧部１５の駆動が中止されると微細排気バルブ１７を通じて排出される空気により導管内部の空気圧が減圧される。この間に、人体から伝達される血圧の脈拍が導管の空気を通じて伝送され、センサー１２により感知される。
【０００８】
センサー１２は導管を通じて伝達される脈拍を電気的な信号に変換した後に、これをマイクロコントローラ１３へ出力する。このようにセンサー１２からマイクロコントローラ１３に出力される脈拍の波形は、図２に示すようになっている。図２は従来の血圧計の血圧測定波形図である。
【０００９】
マイクロコントローラ１３は、センサー１２から入力される脈拍信号から血圧を算出した後、これを表示部１４において表示し、使用者の血圧がわかるようにする。
【００１０】
血圧測定が終わると、マイクロコントローラ１３はソレノイドバルブ１６を開にさせて、導管の中にある残空気を迅速に外部へ排気し、使用者を楽にする。
【００１１】
【発明が解決しようとする課題】
しかしながら、前記の従来の血圧計は、動作初期に加圧部１５から発生される空気圧の波動を無くすため、加圧時に相対的に少ない波動が発生するようにした高価なローリングポンプを加圧部として使用し、また、以降段に図示しない大きい空気タンクを使用して加圧時に発生する波動現象を減殺させるようにしてあるので、血圧計自体が大型となり、かつ、値段も相乗的に高価となる短所を有している。
【００１２】
また、前記の従来の血圧計は不必要な圧力まで加圧をするので、バッテリの電力を消耗させ、また、全体的な測定時間が遅くなる可能性もある。
【００１３】
また、前記の従来の血圧計は、微細排気バルブ１７の規格偏差に起因して血圧測定の信頼度が劣る問題点がある。前記の微細排気バルブ１７は、１秒当り２〜３ｍｍＨｇの排気規格を満足させるべき部品として、血圧計の品質を決定するとても重要な精密部品である。
【００１４】
また、前記の従来の血圧計は、微細排気バルブ１７の製造及び排気規格偏差を満足させるための調整が必要となって生産性を劣らせるので、製造原価を上昇させる短所がある。さらに、微細排気バルブを規格偏差の中に調整した場合でも測定者の腕の太さ、腕支えの材質、腕支えの大きさ、測定範囲内の高低、圧迫帯を巻く状態、測定者の単位時間当り発生される脈拍の時間等の条件次第では規格偏差範囲を超過して測定結果値の精密度を劣らせる問題点がある。
【００１５】
したがって、この発明の目的は、前記従来の血圧計の短所及び問題点を解決しようとするものであり、加圧中に被測定者の動脈圧を抽出して分析した後、血圧測定ができる圧力に加圧手段の駆動を中止させて血圧を測定することにより、被測定者を楽にさせることのできる最適加圧制御機能を有する血圧計及びその制御方法の提供にある。
【００１６】
この発明の他の目的は、ソレノイドバルブを通じて微細バルブになるようにマイクロコントローラでソレノイドバルブを制御して、血圧計の品質を向上させるとともに、高価かつ製造過程が難しい微細排気バルブを除いた血圧計の制作を可能として製造原価が安価でありながら微細排気制御機能を有する血圧計及びその制御方法を提供することである。
【００１７】
【課題を解決するための手段】
前記目的を達成するための請求項１記載の発明は、使用者が命令を入力するためのキー入力部と、導管の空気圧と脈動を検出した後に、これを電気的な信号に変換して出力するセンサーと、前記キー入力部から入力される命令に従って微細排気のための制御信号を出力しながら、前記センサーから入力される信号にもとづいて血圧を測定し、かつ、測定した血圧を表示するための情報信号を出力するマイクロコントローラと、このマイクロコントローラから前記制御信号が入力されると駆動して、導管内の空気圧を加圧させる加圧部と、前記加圧部から伝送される空気圧を一時貯蔵するための空気タンクと、前記空気タンクに導管を通じて連結され、前記空気タンクの緩衝作用及び空気の加圧速度を制御するバッファと、前記マイクロコントローラからの前記制御信号によって開閉し、導管内の空気を外部に微細排気させるソレノイドバルブと、人体から発生される脈拍を前記センサーに伝送するための圧迫帯と、前記マイクロコントローラから入力される情報信号に従って血圧を表示する表示部と、を備えた構成としてある。
【００１８】
また、請求項２記載の発明は、バッテリが装着されると動作が開始してソレノイドバルブをオープンさせる段階と、内部メモリ変数を初期化させた後に低電力使用モードを維持する段階と、キー入力部から電源スイッチがオンされたことを判断する段階と、電源スイッチがオンされる場合に、キー入力があることを判断して一定時間の間にキー入力がない場合に動作を終了する段階と、キー入力があった場合には加圧部を駆動させて、空気圧を高める段階と、加圧状態が適正な圧力まで到達したかどうかを判断して、適正圧力に到達している場合には加圧を中止する段階と、微細排気のためのソレノイドバルブの開／閉時間初期値を算出した後に、ソレノイドバルブを開／閉させて、微細排気を行なう段階と、現在の圧力及びセンサーで検出した脈拍値を貯蔵する段階と、ソレノイドバルブの開／閉時間を補正する段階と、血圧が算出されたかどうかを判断し、血圧が算出された場合には血圧の高圧と低圧を表示する段階と、ソレノイドバルブを開いて、急速排気させながら動作を終了する段階と、を具備した方法としてある。
【００１９】
また、請求項３記載の発明は、前記ソレノイドバルブが、微細排気を予め予測して心臓拍動当り２〜３ｍｍＨｇ程度の排気制御を行う方法としてある。
【００２０】
【発明の実施の形態】
以下、この発明が属する技術分野における通常の知識を有する者が、この発明を容易に実施できる、より望ましい実施形態を図面を参照して詳細に説明する。
【００２１】
図１は本発明血圧計の一実施形態の構成ブロック図である。図１に図示されるように、この発明の実施形態における最適加圧制御機能を有する血圧計の構成は、キー入力部２１と、前記キー入力部２１の出力段に入力段が連結されているマイクロコントローラ２３と、このマイクロコントローラ２３の出力段に入力段が連結されている加圧部２５と、加圧部２５に導管を通じて連結されている空気タンク２８と、軟質ゴム材料からなる空気タンク２８に導管を通じて連結されているバッファ２９と、バッファ２９に導管を通じて連結されているセンサー２２と、ソレノイドバルブ２６と、圧迫帯２７と、前記のマイクロコントローラ２３の出力段に入力段が連結されている表示部２４とを有している。
【００２２】
図２は、最適加圧制御の機能を有する血圧計の制御方法の一実施形態の動作流れ図である。図２に示されるように、この発明の実施形態における最適加圧制御機能を有する血圧計の制御方法は、バッテリが装着されると動作が始まる段階Ｓ２０と、内部メモリ変数を初期化させる段階Ｓ３０と、低電力使用モードを維持する段階Ｓ４０と、キー入力部から電源スイッチがオンされたことを判断する段階Ｓ５０と、電源スイッチがオンされた場合に他のキー入力があることを判断する段階Ｓ６０と、一定時間の間に他のキー入力がない場合に動作を終了する段階Ｓ７０と、他のキー入力がある場合に加圧部を駆動させて空気圧を高める段階Ｓ８０と、変化する空気圧を平均化する段階Ｓ９０と、人体から伝達される脈拍を検出して内部メモリに貯蔵する段階Ｓ１００と、最高血圧が検出されたことを判断する段階Ｓ１１０と、最高血圧が検出された場合に一定圧力をさらに加圧した後、加圧を中止する段階Ｓ１２０と、加圧が中止された後に微細排気させながら血圧を測定する段階Ｓ１３０と、最高血圧と最低血圧を検出する段階Ｓ１４０と、最高及び最低血圧と脈拍を表示する段階Ｓ１５０と、ソレノイドバルブを開き、急速排気しながら動作を終了する段階Ｓ１６０になる。
【００２３】
前記の構成によると、この発明の実施形態における最適加圧制御機能を有する血圧計及びその制御方法の作用は次の通りである。使用者（被測定者）により血圧計にバッテリが装着されると、マイクロコントローラ２３の内部メモリに貯蔵されている図２に図示されるような制御プログラムがマイクロコントローラ２３により実行され、この実施形態における最適加圧制御機能を有する血圧計の動作が始まる。
【００２４】
動作が始まると、マイクロコントローラ２３はソレノイドバルブ２６に駆動信号を出力するので、ソレノイドバルブ２６を開（閉）させる。
【００２５】
次に、マイクロコントローラ２３は内部メモリ変数を初期化させた後、内部に最小の電力消費ができる低電力使用モードを維持する。低電力使用モードによってマイクロコントローラ２３はキー入力部２１から入力される信号を感知するので、電源スイッチがオンされたことを判断する。
【００２６】
電源スイッチがオンされた場合、マイクロコントローラ２３はキー入力部２１から他のキー入力があるか否かを判断し、一定時間の間に他のキー入力がない場合動作の終了また電源スイッチがオンされた後、自動に動作が始まる。
【００２７】
一方、キー入力部２１から他のキー入力があった場合は、マイクロコントローラ２３は加圧部２５を駆動させて導管内の空気圧を高めるようにする。また、ソレノイドバルブ２６を閉じる（Ｓ２０の段階でソレノイドバルブ２６を閉じておくこともできる）。
【００２８】
加圧部２５から発生される空気圧は導管を通じて軟質のゴム材料からなる空気タンク２８に伝達され、この空気タンク２８に伝達された空気はさらにバッファ２９に伝送される。ここで、軟質ゴム材料からなる空気タンク２８は、微細排気を予め予測して心臓拍動当り２〜３ｍｍＨｇ程度の排気制御機能を備えている。
【００２９】
バッファ２９を通過した空気は導管を通じてセンサー２２とソレノイドバルブ２６と圧迫帯２７に伝達される。ここで、ソレノイドバルブ２６が閉じているので、加圧部２５から発生される空気圧の大部分は圧迫帯２７に伝送され、圧迫帯２７が人体（腕）を締め付ける。
【００３０】
この場合、マイクロコントローラ２３はセンサー２２を利用して導管内で変化する空気圧の平均を算出して、人体から伝達される脈拍を検出して内部メモリに貯蔵する。
【００３１】
動作初期に加圧部２５から発生される空気圧と人体から伝達される脈拍の合成された波形が図３〜図５に図示されている。図３は、この実施形態における最適加圧制御機能を有する血圧計のバッファとタンクがないときの、空気圧と血圧計の加圧時における脈拍との合成測定波形図であり、図４は、この実施形態における最適加圧制御機能を有する血圧計の軟質ゴムタンクだけがあるときの、空気圧と血圧計における脈拍との合成測定波形図であり、図５はこの実施形態における最適加圧制御機能を有する血圧計のタンクとバッファを備えたときの、空気圧と血圧計の加圧時における脈拍との合成測定波形図である。
【００３２】
この図３〜図５に図示されるように、この実施形態では、空気タンク２８の緩衝作用を利用するので、加圧部２５から発生される空気圧の急激な変化（波動現象）をとても柔らかに緩和させることができる。このように空気圧の急激な変化を減殺できるので、センサー２２が人体から伝達される脈拍を非常に容易に感知できる。
【００３３】
次に、マイクロコントローラ２３は内部メモリに貯蔵されている値を比較するので、脈拍の中に最高血圧が検出されることを判断して段階Ｓ９０〜Ｓ１１０を反復遂行する。
【００３４】
空気圧信号に包含されている脈拍信号から最高血圧が検出されるとマイクロコントローラ２３は一定時間の後、加圧部２５に駆動中止信号を出力して、加圧を中止させる。
【００３５】
従って、被測定者の血圧状態にしたがってそれぞれ異なる血圧値の中に最高血圧値を検出して、一番適切な時点に加圧部２５の駆動を中止させるので、被測定者が楽な状態で血圧測定を行なえる。
【００３６】
加圧を中止した後、圧迫帯２７により締められている人体部分は圧力が上昇したままの状態であり、この状態下においてマイクロコントローラ２３は空気を微細排気させながら血圧を測定する。このように測定される血圧の高圧（最高血圧）と低圧（最低血圧）は表示部２４を通じて表示される。
【００３７】
血圧の測定が終わると、マイクロコントローラ２３はソレノイドバルブ２６を開いて、急速排気させた後に動作を終了する。
【００３８】
以上のように、この実施形態の血圧計及びその制御方法によれば、加圧時の駆動部から発生される波動現象を小型の軟質ゴムタンクを使用して除去し、使用者（被測定者）の動脈圧を抽出して分析した後、加圧手段の駆動を血圧測定ができる圧力に中止させて血圧を測定するので、被測定者が楽な状態のまま血圧測定を行なえる。
【００３９】
次に、この発明の他の実施形態における血圧計及びその制御方法に関して説明する。図６は、この発明の他の実施形態における微細排気制御機能を有する血圧計の構成ブロックで図ある。
【００４０】
図６に示されるように、この実施形態における微細排気制御機能を有する血圧計の構成は、キー入力部８１と、前記キー入力部８１の出力段に入力段が連結されているマイクロコントローラ８３と、前記マイクロコントローラ８３の出力段に入力段が連結されている加圧部８５と、加圧部８５に導管を通じて連結されているセンサー８２と、ソレノイドバルブ８６と、圧迫帯８７と、前記マイクロコントローラ２３の出力段に入力段が連結されている表示部８４とを有している。
【００４１】
図７は、他の実施形態における微細排気制御機能を有する血圧計の制御方法の動作流れ図である。図７に示されるように、この実施形態における微細排気制御機能を有する血圧計の制御方法は、バッテリが装着されると動作が始まる段階Ｓ９１０と、ソレノイドバルブを開く段階Ｓ９２０と、内部メモリ変数を初期化させる段階Ｓ９３０と、低電力使用モードを維持する段階Ｓ９４０と、キー入力部から電源スイッチがオンされたことを判断する段階Ｓ９５０と、電源スイッチがオンされた場合に他のキー入力があることを判断する段階Ｓ９６０と、電源キーがオンされた後、自動遂行機能動作を判断する段階Ｓ９７０’と、一定時間の間に他のキー入力がない場合に動作を終了する段階Ｓ９７０と、キー入力がある場合及び自動遂行機能が動作した場合にソレノイドバルブを閉じて、加圧部を駆動させて空気圧を高める段階Ｓ９８０と、加圧状態が一定の圧力まで到達したことを判断する段階Ｓ９９０と、一定圧力に到達した場合加圧を中止する段階Ｓ１０００と、微細排気のためにソレノイドバルブの開／閉時間初期値を算出する段階Ｓ１０１０と、ソレノイドバルブを開／閉させて、微細排気をする段階Ｓ１０２０と、現在の圧力及び脈拍最大値を検出，貯蔵する段階Ｓ１０３０と、ソレノイドバルブの開／閉時間を補正する段階Ｓ１０４０と、血圧が算出されたことを判断する段階Ｓ１０５０と、血圧が算出される場合に血圧の高圧と低圧と分当りの脈拍数を表示する段階Ｓ１０６０と、ソレノイドバルブをオープンするので、急速排気させながら動作を終了する段階Ｓ１０７０とからなっている。
【００４２】
実施形態における微細排気制御機能を有する血圧計及びその制御方法の作用は次の通りである。使用者により血圧計にバッテリが装着されるとマイクロコントローラ８３の内部メモリに貯蔵されている図７に示されている制御プログラムがマイクロコントローラ８３によって実行され血圧計の動作が始まる。
【００４３】
動作が始まるとマイクロコントローラ８３はソレノイドバルブ８６に駆動信号を出力するので、ソレノイドバルブ８６は開いた状態となる。次に、マイクロコントローラ８３は内部メモリ変数を初期化させた後、内部的に最小の電力消費になる低電力使用モードを維持する。
【００４４】
マイクロコントローラ８３は、低電力使用モードにおいてはキー入力部８１から入力される信号を感知するので、電源スイッチがオンされたことを判断する。電源スイッチがオンされた場合に、マイクロコントローラ８３はキー入力部８１から他のキー入力があること及び自動遂行機能を判断して、一定時間の間にキー入力がない場合には動作を終了する。
【００４５】
一方、キー入力部８１からキー入力がある場合、マイクロコントローラ８３はソレノイドバルブ８６を閉じた後に加圧部８５を駆動させるので、導管内の空気が高まる。このように加圧部８５から発生される空気圧は導管を通じてセンサー８２とソレノイドバルブ８６と圧迫帯８７に伝達される。この場合にソレノイドバルブ８６は閉じているので、加圧部８５から発生された空気圧の大部分は圧迫帯８７に伝送されるので、圧迫帯８７が人体（腕）を締め付ける。
【００４６】
圧迫帯８７により締められる人体部分は圧力が上昇し、マイクロコントローラ８３は加圧状態が一定の圧力まで到達したことを判断し、一定圧力に到達した場合には加圧部８５の駆動を中止させて、加圧を中止する。次に、マイクロコントローラ８３は微細排気のためにソレノイドバルブの開／閉時間初期値を算出したと、ソレノイドバルブ８６を開／閉させるので、微細排気を始める。このとき、ソレノイドバルブ８６（２６）はマイクロコントローラ８３（２３）からの命令で心臓拍動当り２〜３ｍｍＨｇ程度の排気制御を行なう。
【００４７】
このようにソレノイドバルブ８６により空気が減圧され微細排気になる間に人体から伝達される血圧の脈拍が導管の空気を通じてセンサー８２に伝送され感知される。センサー８２は導管を通じて伝達される脈拍を電気的な信号に変換した後、これをマイクロコントローラ８３に出力する。このようにしてセンサー８２からマイクロコントローラ８３に出力される脈拍の波形が図８に示されている。図８は、この実施形態における排気制御機能を有する血圧計の血圧測定の波形図である。
【００４８】
マイクロコントローラ８３は、センサー８２から入力される脈拍信号から現在の圧力及び脈拍最大値を検出した後、これを内部メモリに貯蔵する。次に、マイクロコントローラ８３は現在の圧力以前の微細排気量を予め予測してソレノイドバルブ８６の開／閉時間を補正する。前記のソレノイドバルブ８６の開／閉時間は実験的、理論的に予測して算出される。
【００４９】
このようにしてソレノイドバルブ８６の開／閉時間を補正した後、マイクロコントローラ８３は血圧が算出されたことを判断し、血圧が算出された場合には血圧の高圧（最高血圧）と低圧（最低血圧）を表示部８４を通じて表示して使用者が血圧を分かるようにする。表示部８４によって血圧が表示されるとマイクロコントローラ８３はソレノイドバルブ８６を開くので、導管の内にある高圧の空気が迅速に外部に排気され、その後動作を終了する。
【００５０】
【発明の効果】
以上のように、本発明によればマイクロコントローラを、ソレノイドバルブを利用して微細排気になるように制御するので、腕の太さ、腕の支え圧力の高／低、腕支えの着用状態などに関係なく、心臓拍動当り２〜３ｍｍＨｇを排気するので、血圧計の品質を向上させる。また、製造課程が難しい微細排気バルブを用いなくても血圧計の制作ができるので、血圧計の製造原価を低める効果を有する。この発明のこのような効果は血圧計の設計、製造販売などの分野に利用できる。
【図面の簡単な説明】
【図１】この発明の最適加圧制御機能を有する血圧計の一実施形態における構成ブロック図である。
【図２】図１に示す最適加圧制御機能を有する血圧計の制御方法の動作流れ図である。
【図３】図１に示す最適加圧制御機能を有する血圧計のバッファとタンクがないときの血圧計の加圧時測定波形図である。
【図４】図１に示す最適加圧制御機能を有する血圧計のタンクのみを有するときの血圧計の加圧時測定波形図である。
【図５】図１に示す最適加圧制御機能を有する血圧計のタンクとバッファを有するときの血圧計の加圧時測定波形図である。
【図６】この発明の微細排気制御機能を有する血圧計の他の実施形態における構成ブロック図である。
【図７】図６に示す微細排気制御機能を有する血圧計の制御方法の動作流れ図である。
【図８】図６に示す微細排気制御機能を有する血圧計の血圧測定波形図である。
【図９】従来の血圧計の構成ブロック図である。
【図１０】従来の血圧計の血圧測定波形図である。
【符号の説明】
２１  キー入力部
２２  センサー
２３  マイクロコントローラ
２４  表示部
２５  加圧部
２６  ソレノイドバルブ
２７  圧迫帯
２８  空気タンク
２９  バッファ
【図１】
0003686710.tif 000002
【図２】
0003686710.tif 000003
【図３】
0003686710.tif 000004
【図４】
0003686710.tif 000005
【図５】
0003686710.tif 000006
【図６】
0003686710.tif 000007
【図７】
0003686710.tif 000008
【図８】
0003686710.tif 000009
【図９】
0003686710.tif 000010
【図１０】
0003686710.tif 000011